【事件の表示】
　特願２０１１−１４３２０６「分光光度計」拒絶査定不服審判事件〔平成２５年　１月１７日出願公開、特開２０１３−　１１４７３〕について、次のとおり審決する。
【結　論】
　本件審判の請求は、成り立たない。
【理　由】
第１　手続の経緯
　本願は、平成２３年６月２８日の出願であって、平成２６年８月１３日付けで拒絶理由が通知され、同年１０月２０日付けで意見書が提出されるとともに手続補正がなされたが、平成２７年２月１９日付けで拒絶査定がなされたのに対し、同年５月２２日に拒絶査定不服審判が請求され、それと同時に手続補正がなされたものである。
　
第２　平成２７年５月２２日付けの手続補正についての補正却下の決定
［補正却下の決定の結論］
　平成２７年５月２２日付けの手続補正（以下、「本件補正」という。）を却下する。
　
［理由］　
１　本件補正の内容
　本件補正により補正された特許請求の範囲の請求項１の記載は次のとおりである（下線は補正箇所を示す。）。
　
「少なくとも２つのセクタ部を有し、測定光を各セクタ部に対応する少なくとも２つのモードに振り分ける回転セクタ鏡と、各モードの光強度を測定して光強度信号を生成する光検出器と、を備える分光光度計において、
　
前記回転セクタ鏡の駆動源にブラシレスＤＣモータを用い、
測定する際の分析条件に応じて、前記ブラシレスＤＣモータの回転速度を制御する回転数制御部と、
　前記モード毎に設定された前記回転セクタ鏡の回転位置を検出する回転位置検出部と、
　前記モード毎の遅延時間を設定する遅延時間設定部と、
　前記モード毎の遅延時間を記憶する遅延時間記憶部と、
　前記モード毎の測定期間を設定する遅延時間設定部と、
　前記モード毎の測定期間を記憶する測定期間記憶部と、
　前記回転位置検出部からの検出信号を受信した時点から、その検出信号に対応するモードの前記遅延時間だけ遅延した後に、該対応するモードの前記測定期間の間だけ前記検出器からの光強度信号を測定値として取得する測定制御部と、
　を備えることを特徴とする分光光度計。」
２　本件補正の目的
　本件補正は、補正前の請求項１における「分光光度計」について、「前記回転セクタ鏡の駆動源にブラシレスＤＣモータを用い、測定する際の分析条件に応じて、前記ブラシレスＤＣモータの回転速度を制御する回転数制御部」「を備える」ことを追加して限定するものである。
　したかって、本件補正は、補正前の請求項１に記載された発明を特定するために必要な事項を限定するものであるから、特許法第１７条の２第５項第２号の特許請求の範囲の減縮を目的するものに該当するものといえる。
　
３　独立特許要件
　そこで、本件補正後の請求項１に係る発明（以下、「補正発明」という。）が、特許法第１７条の２第６項において準用する同法第１２６条第７項の規定に適合するか、すなわち、本件の特許出願の際に独立して特許を受けることができるものであるかについて以下に検討する。
　
（１）補正発明
　上記「１　本件補正の内容」に記載した請求項１の記載のうち、「前記モード毎の測定期間を設定する遅延時間設定部」は、「測定期間を設定する」ことと「遅延時間設定部」とが対応しておらず、また、補正前の請求項１の記載に照らせば、「前記モード毎の測定期間を設定する測定期間設定部」の誤記と認められる。
　よって、補正発明は、上記「１　本件補正の内容」に記載したもののうち、「前記モード毎の測定期間を設定する遅延時間設定部」を「前記モード毎の測定期間を設定する測定期間設定部」と読み替えたとおりのものと認められる。
（２）刊行物の記載事項
ア　本願出願前に頒布され、原査定の拒絶の理由に引用された特開昭５６−１５０３０５号公報（以下、「刊行物１」という。）には、図面の図示と共に、次の事項が記載されている（下線は当審で付した。）。
　
（ア）「今から説明ようとする実施例は、マイクロプロセツサに基づいた公開済みのマイクロコンピユータが組み込まれた
２光束、比記録、赤外分光光度計
　
（イ）「 第１図に概略図で示した光学系統では、トロイダル・ミラーすなわち凹面鏡１，２および３並びに平面鏡４は協働して
分光回転鏡（
プレサンプル・チヨツパ
）６
プレサンプル・チヨツパ６は
切欠き
扇形片
、反射扇形片および非反射扇形片を持つている
　
（ウ）「第１図において、
光度検知器２５および信号処理装置２７はパルス発生器２８および２９と一緒に信号発生手段の一部を形成する。この信号発生手段は、プレサンプル・チヨツパ６
によつて
行われる分光
の結果として光電信号を発生する
（エ）「第４図の
プレサンプル・チヨツパ６には孔６Ｄ１をあけた不透明な環６Ｄが固着され、
孔６Ｄ１の内側の円上には６つの別な孔６Ｄ２〜６Ｄ７があけられており、各孔の前縁は６分割サンプル・チヨツパがサイクル開始位置にある時扇形片の前縁の延長線上にある。各孔がランプ２８Ａおよび光電管２８Ｂ
と協働するので、６つの孔の各々の前縁がランプ２８Ａからの光束を横切ると、光電管２８Ｂは現在使用中の孔と関連した扇形片の開始を知らせる鋭い電気パルスを発生する
　孔６Ｄ１について説明した構成では、ランプ２９Ａおよび光電管２９Ｂはサイクル開始パルス発生器２９と協働する検知手段を表わし、そして孔６Ｄ２〜６Ｄ７について説明した構成では、
ランプ２８Ａおよび光電管２８Ｂは扇形片開始パルス発生器２８と協働する検知手段を表わす
」（１１頁右下欄最終行〜１２頁右上欄７行）
　
（オ）「第７図のブロツク図は第１図の
信号処理装置２７の詳細
光度検知器２５によつて発生された微小信号は、増幅器２７Ａによつてまず増幅され、その後積分器兼アナログ／デイジタル（Ａ／Ｄ）変換器２７Ｂによつて積分されかつＡ／Ｄ変換される
電子的計数用に必要なタイミング・パルスも
扇形片開始パルス発生器２８から
ルート
２７Ｇを通してマイクロプロセツサ２７Ｄへ供給される。ルート２７Ｇから分れたルート２７Ｇ１は扇形片開始パルスを、遅延ユニツト２７Ｈを通して積分器兼Ａ／Ｄ変換器２７Ｂへ供給する。遅延ユニツト２７Ｈからの各パルスは
関連扇形片開始パルスの発生時点から
所定の時間遅れて微小信号の積分開始のタイミングをとる
（カ）「
６分割サンプル・チヨツパ６
を駆動するための定速モータ３０
は
５０Ｈｚの交流電源３０Ａから運転される時毎分５００回転する同期モータである
　
遅延ユニツト２７Ｈ
は漏話を打消するために必要な
どんな
遅延も提供するように構成されるが、平均値としては１０ミリ秒が良い
積分器兼Ａ／Ｄ変換器２７Ｂの内部では積分が約１８ミリ秒継続するように時間がきられ
　
　上記の記載事項（ア）〜（カ）から、刊行物１には、以下の発明が記載されていると認められる。
　
「分光回転鏡（プレサンプル・チヨツパ）６が切欠き扇形片、反射扇形片および非反射扇形片を持つており、
　光度検知器２５および信号処理装置２７がパルス発生器２８および２９と一緒に信号発生手段の一部を形成し、この信号発生手段が、プレサンプル・チヨツパ６によつて行われる分光の結果として光電信号を発生するものであり、
　プレサンプル・チヨツパ６には孔６Ｄ１をあけた不透明な環６Ｄが固着され、孔６Ｄ１の内側の円上には６つの別な孔６Ｄ２〜６Ｄ７があけられており、各孔の前縁が６分割サンプル・チヨツパがサイクル開始位置にある時扇形片の前縁の延長線上にあり、各孔がランプ２８Ａおよび光電管２８Ｂと協働するので、６つの孔の各々の前縁がランプ２８Ａからの光束を横切ると、光電管２８Ｂは現在使用中の孔と関連した扇形片の開始を知らせる鋭い電気パルスを発生し、ランプ２８Ａおよび光電管２８Ｂが扇形片開始パルス発生器２８と協働する検知手段を表わすものであり、
　信号処理装置２７の詳細は、光度検知器２５によつて発生された微小信号は、増幅器２７Ａによつてまず増幅され、その後積分器兼アナログ／デイジタル（Ａ／Ｄ）変換器２７Ｂによつて積分されかつＡ／Ｄ変換されるものであり、
　電子的計数用に必要なタイミング・パルスが、扇形片開始パルス発生器２８からルート２７Ｇを通してマイクロプロセツサ２７Ｄへ供給され、ルート２７Ｇから分れたルート２７Ｇ１は扇形片開始パルスを、遅延ユニツト２７Ｈを通して積分器兼Ａ／Ｄ変換器２７Ｂへ供給し、遅延ユニツト２７Ｈからの各パルスが、関連扇形片開始パルスの発生時点から所定の時間遅れて微小信号の積分開始のタイミングをとるものであり、
　６分割サンプル・チヨツパ６を駆動するための定速モータ３０が、５０Ｈｚの交流電源３０Ａによつて運転される時毎分５００回転する同期モータであり、
　遅延ユニツト２７Ｈが漏話を打消すために必要などんな遅延も提供するように構成されるが、平均値としては１０ミリ秒が良いものであり、
　積分器兼Ａ／Ｄ変換器２７Ｂの内部では積分が約１８ミリ秒継続するように時間がきられている、２光束、比記録、赤外分光光度計。」（以下「引用発明」という。）
　
イ　本願出願前に頒布され、原査定の拒絶の理由に引用された特開２００６−３１６５号公報（以下、「刊行物２」という。）には、図面の図示と共に、次の事項が記載されている（下線は当審で付した。）。
（ア）「【発明が解決しようとする課題】
【０００８】
　ビートによるノイズを解消するために用いる同期誘導電動機では、上記の振動によるノイズを逃れることはできない。また、ＤＣブラシレスモータは容易に回転数を変えることができるが、特許文献２においてはモータの回転数とノイズを取り除くノッチフィルタの周波数を調整することによりノイズを低減しようという提案であり、モータにより発生するノイズ自体を小さくすることはできない。
【０００９】
　本発明は、上記問題を解決するためになされたものであり、
振動などセクタミラーの回転数と因果関係のあるノイズを可能な限り改善することができる
【課題を解決するための手段】
【００１０】
　上記問題を解決するため、本発明の分光光度計は、光源と被測定試料および参照試料との間の光路上に設けられた、
ミラー、開口部、遮蔽部のいずれかが介在するように切り替える回転可能なセクタミラーと、該セクタミラーを回転させるモータと、被測定試料または参照試料からの光を検出する光検出器を備えた二光束分光光度計において、光検出器におけるノイズが最小になるようにモータの回転数を調整する調整手段を設けたもの
（イ）「【００１６】
  次に動作について説明する。光源３１からの光はモノクロメータ３２により単色化された後、セクタミラー４１に達する。セクタミラー４１は光路に対して４５度の角度で、図２に示す開口部４２、４３およびミラー４４、４５が光路上に来るように配置され、モータ２により一定速度で回転される。
モータ２には速度可変と長寿命が必要なので、ＤＣブラシレスモータを用いており
（３）補正発明と引用発明との対比
ア　引用発明の「切欠き扇形片、反射扇形片および非反射扇形片を持つ」「分光回転鏡（プレサンプル・チヨツパ）６」と、「プレサンプル・チヨツパ６によつて行われる分光の結果として光電信号を発生する」「光度検知器２５」と、を備える「２光束、比記録、赤外分光光度計」は、補正発明の「少なくとも２つのセクタ部を有し、測定光を各セクタ部に対応する少なくとも２つのモードに振り分ける回転セクタ鏡と、各モードの光強度を測定して光強度信号を生成する光検出器と、を備える分光光度計」に相当する。
　
イ　引用発明の「各孔の前縁が６分割サンプル・チヨツパがサイクル開始位置にある時扇形片の前縁の延長線上にある」「孔６Ｄ２〜６Ｄ７」と、「ランプ２８Ａ」と、「６つの孔の各々の前縁がランプ２８Ａからの光束を横切ると」「現在使用中の孔と関連した扇形片の開始を知らせる鋭い電気パルスを発生する」「光電管２８Ｂ」は、補正発明の「前記モード毎に設定された前記回転セクタ鏡の回転位置を検出する回転位置検出部」に相当する。
　
ウ　引用発明では「遅延ユニツト２７Ｈが漏話を打消すためにどんな遅延も提供するように構成されるが、平均値としては１０ミリ秒が良い」のであるから、遅延時間を記憶する遅延時間記憶部を備えることは自明である。よって、引用発明と、補正発明の「前記モード毎の遅延時間を記憶する遅延時間記憶部」とは、「遅延時間を記憶する遅延時間記憶部」を備える点で共通する。
エ　引用発明では「積分器兼Ａ／Ｄ変換器２７Ｂの内部では積分が約１８ミリ秒継続するように時間がきられ」ているのであるから、測定期間を記憶する測定期間記憶部を備えることは自明である。よって、引用発明と、補正発明の「前記モード毎の測定期間を記憶する測定期間記憶部」とは、「測定期間を記憶する測定期間記憶部」を備える点で共通する。
　
オ　上記イの検討を踏まえれば、引用発明の「電子的計数用に必要なタイミング・パルスが、扇形片開始パルス発生器２８からルート２７Ｇを通してマイクロプロセツサ２７Ｄへ供給され、ルート２７Ｇから分れたルート２７Ｇ１は扇形片開始パルスを、遅延ユニツト２７Ｈを通して積分器兼Ａ／Ｄ変換器２７Ｂへ供給し、遅延ユニツト２７Ｈからの各パルスが、関連扇形片開始パルスの発生時点から所定の時間遅れて微小信号の積分開始のタイミングをとる」「信号処理装置２７」と、補正発明の「前記回転位置検出部からの検出信号を受信した時点から、その検出信号に対応するモードの前記遅延時間だけ遅延した後に、該対応するモードの前記測定期間の間だけ前記検出器からの光強度信号を測定値として取得する測定制御部」とは、「前記回転位置検出部からの検出信号を受信した時点から、前記遅延時間だけ遅延した後に、前記測定期間の間だけ前記検出器からの光強度信号を測定値として取得する測定制御部」の点で共通する。
　そうすると、両者は
「少なくとも２つのセクタ部を有し、測定光を各セクタ部に対応する少なくとも２つのモードに振り分ける回転セクタ鏡と、各モードの光強度を測定して光強度信号を生成する光検出器と、を備える分光光度計において、
　前記モード毎に設定された前記回転セクタ鏡の回転位置を検出する回転位置検出部と、
　遅延時間を記憶する遅延時間記憶部と、
　測定期間を記憶する測定期間記憶部と、
　前記回転位置検出部からの検出信号を受信した時点から、前記遅延時間だけ遅延した後に、前記測定期間の間だけ前記検出器からの光強度信号を測定値として取得する測定制御部と、
　を備える分光光度計。」
の点で一致し、以下の点で相違する。
　
（相違点１）
　補正発明では「前記回転セクタ鏡の駆動源にブラシレスＤＣモータを用い、測定する際の分析条件に応じて、前記ブラシレスＤＣモータの回転速度を制御する回転数制御部」を備えるものであるのに対し、引用発明ではそのようなものではない点。
（相違点２）
　補正発明では「前記モード毎の遅延時間を設定する遅延時間設定部」と、「前記モード毎の測定期間を設定する測定期間設定部」と、を備えるのに対し、引用発明ではそのようなものか否か不明な点。
（相違点３）
　遅延時間を記憶する遅延時間記憶部と、測定期間を記憶する測定期間設定部について、補正発明ではそれぞれ「前記モード毎」の遅延時間、測定期間を記憶する記憶部であり、また、測定制御部が前記回転位置検出部からの検出信号を受信した時点から、遅延時間だけ遅延した後に、測定期間の間だけ検出器からの光強度信号を測定値として取得するのは、補正発明ではその遅延時間、測定期間が「その検出信号に対応するモードの」ものであるのに対し、引用発明ではそのようなものか否か不明な点。
（４）相違点についての検討・判断
（相違点１について）
　刊行物２には、「ミラー、開口部、遮蔽部のいずれかが介在するように切り替える回転可能なセクタミラーと、該セクタミラーを回転させるモータと、被測定試料または参照試料からの光を検出する光検出器を備えた二光束分光光度計において」、「振動などセクタミラーの回転数と因果関係のあるノイズを可能な限り改善する」ために、「光検出器におけるノイズが最小になるようにモータの回転数を調整する調整手段を設け」、「モータ２には速度可変と長寿命が必要なので、ＤＣブラシレスモータを用い」るという技術事項が記載されている。ここで、ミラーの回転数と因果関係のあるノイズを可能な限り改善するために、モータの回転数を調整することは、測定する際の分析条件に応じたものということができる。
　そして、引用発明においても、ノイズを可能な限り改善するために、定速モータ３０に代えて、刊行物２に記載された上記技術事項を適用して、相違点１に係る補正発明の構成に想到することは当業者が容易になし得たというべきである。
（相違点２及び３について）
　引用発明では、「遅延ユニツト２７Ｈが漏話を打消すために必要などんな遅延も提供するように構成されるが、平均値としては１０ミリ秒が良いものであり、積分器兼Ａ／Ｄ変換器２７Ｂの内部では積分が約１８ミリ秒継続するように時間がきられている」ものであるが、上記（相違点１について）で検討したように、刊行物２に記載された上記技術事項を引用発明に適用した場合、モータの回転数に応じて適切な遅延時間及び積分時間を選択すべきことは明らかなことであるから、そのために遅延時間及び積分時間を設定する設定部を設けて相違点２に係る補正発明の構成に想到することは当業者が容易になし得たというべきである。
　そして、刊行物１の８頁左上欄下から３行目〜同頁右上欄１行に「同一組の微小部分は等しい時間々隔で発生されることが予期されるけれども、一方の組の微小部分と他方の組の微小部分との間で異なる発生時間を使用してもよい。」と記載されているように、それぞれの関連扇形片における遅延時間及び積算時間を、一律のものとして扱うか、あるいは、それぞれの関連扇形片における遅延時間及び積算時間として扱うかは、設計の便宜や必要な精度等を考慮して当業者が適宜選択し得る設計的事項であり、後者のように構成して、相違点２及び３にかかる補正発明の構成に想到することは当業者が容易になし得たというべきである。
　そして、補正発明の効果も、当業者であれば引用発明、刊行物１の記載事項及び刊行物２に記載された技術事項から予測し得る範囲内のものであり、格別顕著なものとはいえない。
　
（５）小括
　以上のとおり、補正発明は、引用発明、刊行物１の記載事項及び刊行物２に記載された技術事項に基づいて当業者が容易に発明をすることができたものであるから、特許法第２９条第２項の規定により、特許出願の際独立して特許を受けることができないものである。
　
４　まとめ
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明に対する判断
１　本願発明の認定
　平成２７年５月２２日付けの手続補正は、上記のとおり却下されることとなったので、本願の請求項１に係る発明は、平成２６年１０月２０日付けの手続補正により補正された特許請求の範囲の請求項１に記載された事項により特定されるものであると認められ、その請求項１に係る発明（以下、「本願発明」という。）は、次のとおりのものである。
　
「少なくとも２つのセクタ部を有し、測定光を各セクタ部に対応する少なくとも２つのモードに振り分ける回転セクタ鏡と、各モードの光強度を測定して光強度信号を生成する光検出器と、を備える分光光度計において、
　前記モード毎に設定された前記回転セクタ鏡の回転位置を検出する回転位置検出部と、
　前記モード毎の遅延時間を設定する遅延時間設定部と、
　前記モード毎の遅延時間を記憶する遅延時間記憶部と、
　前記モード毎の測定期間を設定する測定期間設定部と、
　前記モード毎の測定期間を記憶する測定期間記憶部と、
　前記回転位置検出部からの検出信号を受信した時点から、その検出信号に対応するモードの前記遅延時間だけ遅延した後に、該対応するモードの前記測定期間の間だけ前記光検出器からの光強度信号を測定値として取得する測定制御部と、
　を備えることを特徴とする分光光度計。」
　
２　刊行物
　原査定の拒絶理由で引用された刊行物１及び刊行物２、並びに、その記載事項は、前記「第２」の「３」の「（２）」に記載したとおりである。
　
３　判断
　本願発明は、補正発明における「分光光度計」について、「前記回転セクタ鏡の駆動源にブラシレスＤＣモータを用い、測定する際の分析条件に応じて、前記ブラシレスＤＣモータの回転速度を制御する回転数制御部」「を備える」という構成を省いたものである。
　そうすると、本願発明の特定事項を全て含み、さらに他の特定事項を付加したものに相当する補正発明が、前記「第２」の「３」の「（３）補正発明と引用発明との対比」に記載したとおり、引用発明、刊行物１の記載事項及び刊行物２に記載された技術事項に基づいて、当業者が容易に発明をすることができたものであるから、本願発明も同様の理由により、引用発明、刊行物１の記載事項及び刊行物２に記載された技術事項に基づいて当業者が容易に発明をすることができたものである。
　
第４　むすび
　以上のとおり、本願発明は、引用発明、刊行物１の記載事項及び刊行物２に記載された技術事項に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。